(57)【要約】【課題】基礎ベース部の端部等の局所的なスペースの天端レベルの精度を向上させる基礎天端レベル調整方法として有効である。【解決手段】建物の基礎ベース部２の端部２ａ全周に亘って、鉛直方向に型枠８を配置し、型枠８の屋内側面に凹部形成部材１０を設け、凹部形成部材１０の下端面１０ａを基礎ベース部２の仕上げ予定面１１より略１０ｍｍ乃至５０ｍｍ低い位置とし、上端面１０ｂを仕上げ予定面１１より略１０ｍｍ以上高い位置とし、凹部形成部材１０を設けた状態のまま型枠８内に生コン１３を打設し、凹部形成部材１０を取外すことで基礎ベース部２の端部２ａに凹部１４を形成し、その凹部１４にレベル調整材１５を仕上げ予定面１１まで流し込み、レベル調整材１５が硬化後に型枠８を取外す。【選択図】  図１
2007270463.tif 000002
【特許請求の範囲】
【請求項１】
建物の基礎ベース部の端部全周に亘って、鉛直方向に型枠を配置し、前記型枠の屋内側面の全周に凹部形成部材を設け、前記凹部形成部材の下端面を基礎ベース部の仕上げ予定面より略１０ｍｍ乃至５０ｍｍ低い位置とし、上端面を仕上げ予定面より略１０ｍｍ以上高い位置とし、凹部形成部材を設けた状態のまま型枠内に生コンを打設し、その後凹部形成部材を取外すことで基礎ベース部の端部に凹部を形成し、前記凹部にレベル調整材を仕上げ予定面まで流し込み、レベル調整材が硬化後に型枠を取外すことを特徴とする基礎天端レベル調整方法。
【請求項２】
前記型枠を鋼製型枠とし、前記凹部形成部材の型枠側に磁性体を設けることを特徴とする請求項１記載の基礎天端レベル調整方法。
【請求項３】
前記凹部形成部材を生コンが硬化する前に取外すことを特徴とする請求項１又は請求項２記載の基礎天端レベル調整方法。
【請求項４】
前記レベル調整材を生コンが硬化後に流し込むことを特徴とする請求項１乃至請求項３のいずれかに記載の基礎天端レベル調整方法。
【請求項５】
前記凹部形成部材の屋内側の基礎ベース部を仕上げ予定面よりも高い位置まで生コン打設することを特徴とする請求項１乃至請求項４のいずれかに記載の基礎天端レベル調整方法。
【発明の詳細な説明】
【技術分野】
【０００１】
本発明は、建物基礎の基礎ベース部端部での天端レベルの調整方法に関する。
【背景技術】
【０００２】
建物の基礎部分としては、鉄筋コンクリートで基礎ベース部と立ち上がり部を構成する基礎が一般的な構成である。このような基礎の構成では、立ち上がり部の上部にアンカーボルト、床梁、外壁等を設けるため立ち上がり部の基礎天端レベルの精度が要求される。
【０００３】
そして、立ち上がり部の基礎天端レベルの調整方法としては、図３のように、立ち上がり部を仕上がり面より少し低い位置２１で仕上げておき、型枠２８を外す前に仕上げ高さまで自己流動性の良いレベル調整材２５を仕上げ予定面２２まで充填してレベル調整を行う方法が知られている。
【０００４】
また、建物の基礎部分のその他の構成としては、例えば特許文献１のように、鉄筋コンクリート製の基礎ベース部を設け、立ち上がり部として基礎ベース部上に複数個の鋼製の柱型基礎を設け、その柱型基礎の外側に目隠しとしてコンクリート成形板やフラッシュパネルで構成された化粧パネルを設けたものがある。このような立ち上がり部に化粧パネルを設ける構成では、基礎の内側での気密性が保持しにくいため、基礎ベース部と化粧パネルとの間にシーリング材を設けて気密性の保持がなされる。したがって、基礎ベース部に不陸があると隙間ができるため気密性を保持できなくなるため、基礎ベース部の端部の天端レベルの精度が要求される。
【特許文献１】特開２００５−２３５９５号
【発明の開示】
【発明が解決しようとする課題】
【０００５】
しかし、特許文献１のような立ち上がり部を化粧パネルで構成する基礎では、型枠で囲われた基礎ベース部が広い範囲となるため、基礎鉄筋コンクリートで基礎ベース部と立ち上がり部を構成する場合と同様の方法で、自己流動性の良いレベル調整剤を型枠で囲われた基礎ベース部全体に亘って使用することは、作業性が悪く、且つ不経済であるといった課題がある。
したがって、本発明の目的は、基礎ベース部の端部を作業性が良く、経済的に基礎天端レベルを調整できる方法を提供することにある。
【課題を解決するための手段】
【０００６】
請求項１記載の発明は、建物の基礎ベース部の端部全周に亘って、鉛直方向に型枠を配置し、前記型枠の屋内側面の全周に凹部形成部材を設け、前記凹部形成部材の下端面を基礎ベース部の仕上げ予定面より略１０ｍｍ乃至５０ｍｍ低い位置とし、上端面を仕上げ予定面より略１０ｍｍ以上高い位置とし、凹部形成部材を設けた状態のまま型枠内に生コンを打設し、その後凹部形成部材を取外すことで基礎ベース部の端部に凹部を形成し、前記凹部にレベル調整材を仕上げ予定面まで流し込み、レベル調整材が硬化後に型枠を取外すことを特徴とする基礎天端レベル調整方法である。
【０００７】
凹部形成部材としては、例えば、木製や金属製のものが使用でき、基礎ベース部に生コンを打設しても変形することがないものが好ましい。また、型枠の屋内側の全周に設けるので、長尺の部材とし、複数個を組み合わせることで型枠全周を囲うものとすることが好ましい。
【０００８】
レベル調整材としては、自己流動性を有するものが好ましく、例えば、流すだけで平坦に拡がる性質を有した、無機混和材、有機混和材を混合してなるセメント系、セラミック系、石膏系のセルフレベリング材などが使用できる。
【０００９】
生コン打設時及びレベル調整材の流し込み時には、型枠等に仕上げ予定面が解るように、予めしるしを設けておくことが好ましい。
【００１０】
請求項１記載の発明によれば、凹部形成部材により基礎ベース部の端部に凹部が形成され、その凹部にレベル調整材が仕上げ予定面まで流し込まれるため、基礎ベース部の端部の仕上げ予定面の精度を保持することができる。また、精度の必要な部分にレベル調整材を使用できるので経済的である。
【００１１】
請求項２記載の発明は、請求項１記載の基礎天端レベル調整方法であって、前記型枠を鋼製型枠とし、前記凹部形成部材の型枠側に磁性体を設けることを特徴とするものである。
【００１２】
請求項２記載の発明によれば、型枠が金属型枠で、凹部形成部材の型枠側に磁性体を設けるので、型枠への凹部形成部材の着脱が容易に行うことができる。
【００１３】
請求項３記載の発明は、請求項１又は請求項２記載の基礎天端レベル調整方法であって、前記凹部形成部材を生コンが硬化する前に取外すことを特徴とするものである。
【００１４】
請求項３記載の発明によれば、凹部形成部材を生コンが硬化する前に取外すため、凹部形成部材が硬化した生コンにより拘束されていない状態のため、容易に取外すことができる。
【００１５】
請求項４記載の発明は、請求項１乃至請求項３のいずれかに記載の基礎天端レベル調整方法であって、前記レベル調整材を生コンが硬化後に流し込むことを特徴とするものである。
【００１６】
請求項４記載の発明によれば、レベル調整材を生コンが硬化した後に流し込むため、レベル調整材を流し込む際に未硬化の生コンが崩れ込むことがないため、レベル調整材を精度よく仕上げ予定面まで流し込むことができる。
【００１７】
請求項５記載の発明は、請求項１乃至請求項４のいずれかに記載の基礎天端レベル調整方法であって、前記凹部形成部材の屋内側の基礎ベース部を仕上げ予定面よりも高い位置まで生コン打設することを特徴とするものである。
【００１８】
請求項５記載の発明によれば、凹部形成部材の屋内側の基礎ベース部を仕上げ予定面よりも高く生コン打設するため、凹部に流し込むレベル調整材が誤って基礎ベース部の屋内側に流れ出すことを防止することができる。
【発明の効果】
【００１９】
請求項１記載の基礎天端レベル調整方法によれば、凹部形成部材により基礎ベース部の端部に凹部が形成され、その凹部にレベル調整材が仕上げ予定面まで流し込まれるため、基礎ベース部の端部の仕上げ予定面の精度を保持することができる。また、精度の必要な部分にレベル調整材を使用できるので経済的である。
【００２０】
請求項２記載の基礎天端レベル調整方法によれば、型枠が金属型枠で、凹部形成部材の型枠側に磁性体を設けるので、型枠への凹部形成部材の着脱が容易に行うことができる。
【００２１】
請求項３記載の基礎天端レベル調整方法によれば、凹部形成部材を生コンが硬化する前に取外すため、凹部形成部材が硬化した生コンにより拘束されていない状態のため、容易に取外すことができる。
【００２２】
請求項４記載の基礎天端レベル調整方法によれば、レベル調整材を生コンが硬化した後に流し込むため、レベル調整材を流し込む際に未硬化の生コンが崩れ込むことがないため、レベル調整材を精度よく仕上げ予定面まで流し込むことができる。
【００２３】
請求項５記載の基礎天端レベル調整方法によれば、凹部形成部材の屋内側の基礎ベース部を仕上げ予定面よりも高く生コン打設するため、凹部に流し込むレベル調整材が誤って基礎ベース部の屋内側に流れ出すことを防止することができる。
【発明を実施するための最良の形態】
【００２４】
以下、本発明のパネル設置装置の実施の形態を図１及び図２に基づいて説明する。
【実施例１】
【００２５】
実施例１は、本発明の基礎天端レベル調整方法を使用してユニット建物の基礎するものであり図１及び図２に基づいて説明する。図１は本発明の基礎天端レベル調整方法を用いた際の工程説明図である。図２は本発明の基礎天端レベル調整方法を用いて形成された基礎を使用したユニット建物の基礎部の断面図である。
【００２６】
ユニット建物は建物ユニットを複数個配置することにより構成されている。
ユニット建物の基礎部分は、図２のように基礎ベース部２に複数個の柱型鋼製基礎１  （立ち上がり部）を立設して、柱型鋼製基礎１の屋外側に化粧パネル３を設置して構成されている。そして、このような柱型鋼製基礎１（立ち上がり部）に化粧パネル３を設ける構成では、基礎部分の屋内側での気密性が保持しにくいため、基礎ベース部２の端部２ａと化粧パネル３との間にシーリング材４を設けて気密性の保持がなされる。したがって、基礎ベース部２の端部２ａに不陸があると隙間ができるため気密性を保持できなくなるため、基礎ベース部２の端部２ａの天端レベルの精度が要求される。したがって、本実施例では基礎ベース部２の端部２ａの天端レベルを作業性が良く、経済的に行うことを目的としたものである。
【００２７】
基礎ベース部２の底面部より若干深い位置まで地盤面の掘削を行う。そして、掘削した掘削面に、基礎ベース部２の底面部までの高さとなるように捨てコンクリートを流し込み、地業５を形成する。地業５の上部にスペーサー６等を設けてかぶり厚さを確保して、基礎ベース２の内部に埋め込まれる鉄筋７を配置する。そして、基礎ベース部２の端部２ａの側面部分に沿って全周に、鉛直方向に型枠８を設ける。型枠８は鋼製で形成され、掘削面から基礎ベース仕上げ予定面より高い位置まで鉛直に立設するように、型枠支持部材９等で支持する。
【００２８】
型枠８の屋内側面には凹部形成部材１０を設ける。この凹部形成部材１０の型枠８への設置位置は、凹部形成部材１０の下端面１０ａを基礎ベース部２の仕上げ予定面１１より略１０ｍｍ乃至５０ｍｍ低い位置とし、上端面１０ｂを仕上げ予定面１１より略１０ｍｍ以上高い位置となるように設置する。また、凹部形成部材１０の型枠側には磁性体１２を設けて、型枠８の側面に磁着させる。
【００２９】
次に、型枠８に凹部形成部材１０を設けた状態のまま型枠８内に仕上げ予定面１１まで生コン１３を打設する。この際、凹部形成部材１０の屋内側の略１００ｍｍ幅程度を仕上げ予定面１１より５ｍｍ乃至１０ｍｍ程度高くなるようにする。
【００３０】
打設した生コン１３が完全に硬化してしまう前に、凹部形成部材１０を取外す。この際、打設した生コン１３を乱さないように注意して取外しを行う。凹部形成部材１０を取外すことにより、基礎ベース部２の端部２ａの全周に亘り凹部１４が形成される。
【００３１】
次に、凹部１４に無機混和材、有機混和材を混合してなるセメント系、セラミック系、石膏系の自己流動性を有するセルフレベリング材１５（レベル調整材）を仕上げ予定面１１の高さまで流し込む。
そして、セルフレベリング材１５の硬化後に型枠８を取外し、型枠８があった部分の掘削部分に土を埋め戻す。
【００３２】
この工程により、端部２ａの天端レベル精度が良い基礎ベース２が完成する。完成した基礎ベース２の上面に、柱型鋼製基礎１をボルト接合により立設させる。立設させた柱型鋼製基礎１の屋外側面に化粧パネル３をボルト接合にて取付を行う。その際、基礎ベース２ａと化粧パネル３との間にシーリング材を挟み込んでおくことにより、基礎部分の気密性が確保される。
【００３３】
そして、この基礎天端レベル調整方法によれば、凹部形成部材により基礎ベース部の端部に凹部が形成され、その凹部にレベル調整材が仕上げ予定面まで流し込まれるため、基礎ベース部の端部の仕上げ予定面の精度を保持することができる。また、精度の必要な部分にレベル調整材を使用できるので経済的である。
【００３４】
また、型枠が金属型枠で、凹部形成部材の型枠側に磁性体を設けるので、型枠への凹部形成部材の着脱が容易に行うことができる。
【００３５】
また、凹部形成部材を生コンが硬化する前に取外すため、凹部形成部材が硬化した生コンにより拘束されていない状態のため、容易に取外すことができる。
【００３６】
また、レベル調整材を生コンが硬化した後に流し込むため、レベル調整材を流し込む際に未硬化の生コンが崩れ込むことがないため、レベル調整材を精度よく仕上げ予定面まで流し込むことができる。
【００３７】
また、凹部形成部材の屋内側の基礎ベース部を仕上げ予定面よりも高く生コン打設するため、凹部に流し込むレベル調整材が誤って基礎ベース部の屋内側に流れ出すことを防止することができる。
【００３８】
以上、本発明の実施例を説明したが、本発明は上記実施例に限定されるものではなく、本発明の要旨を逸脱しない範囲の設計変更があっても本発明に含まれるのは勿論である。
【産業上の利用可能性】
【００３９】
基礎ベース部の端部等の局所的なスペースの天端レベルの精度を向上させる基礎天端レベル調整方法として有効である。
【図面の簡単な説明】
【００４０】
【図１】本発明の基礎天端レベル調整方法を用いた際の工程説明図である。
【図２】本発明の基礎天端レベル調整方法を用いて形成された基礎を使用したユニット建物の基礎部の断面図である。
【図３】立ち上がり部もコンクリートで施工する際の従来の基礎天端レベル調整の施工方法例。
【符号の説明】
【００４１】
１        柱型鋼製基礎
２        基礎ベース部
３        化粧パネル
４        シーリング材
５        地業
６        スペーサー
７        鉄筋
８        型枠
９        型枠支持部材
１０        凹部形成部材
１１        仕上げ予定面
１２        磁石体
１３        生コン
１４        凹部
１５        セルフレベリング材（レベル調整材）
【図１】
2007270463.tif 000003
【図２】
2007270463.tif 000004
【図３】
2007270463.tif 000005